(57)【要約】      （修正有）【課題】記録媒体の大きさにあわせて画像を拡大及び縮小する設定が行われている場合でも、拡大または縮小をせずに利用したい画像について倍率が変更されないようにすることができる画像形成装置、及び画像形成プログラムを提供する。【解決手段】画像形成装置は、入力画像及び入力画像を形成する際の拡大または縮小に関する設定を受け付ける受付手段と、受付手段で受け付けた入力画像を記録媒体に形成する画像形成手段と、受付手段で受け付けた入力画像に、予め定められた条件を満たす画像が含まれる場合、受付手段により受け付けた設定に関わらず、画像を画像の本来の大きさに対応する大きさで記録媒体に形成するように、画像形成手段を制御する制御手段と、を備える。【選択図】図４
2018047566.tif 000002
【特許請求の範囲】
【請求項１】
入力画像及び前記入力画像を形成する際の拡大または縮小に関する設定を受け付ける受付手段と、
前記受付手段で受け付けた前記入力画像を記録媒体に形成する画像形成手段と、
前記受付手段で受け付けた前記入力画像に、予め定められた条件を満たす画像が含まれる場合、前記受付手段により受け付けた設定に関わらず、前記画像を前記画像の本来の大きさに対応する大きさで前記記録媒体に形成するように、前記画像形成手段を制御する制御手段と、
を備えた画像形成装置。
【請求項２】
前記受付手段は前記対応する大きさを更に受け付け、
前記制御手段は、前記受付手段で受け付けた前記入力画像に、前記対応する大きさを有する画像が含まれる場合、前記対応する大きさを有する画像を前記受付手段で受け付けた前記対応する大きさで前記記録媒体に形成するように前記画像形成手段を制御する
請求項１記載の画像形成装置。
【請求項３】
前記制御手段は、前記受付手段で受け付けた前記入力画像から前記画像を抽出し、抽出した前記画像を、前記画像に予め対応付けられた前記対応する大きさで前記記録媒体に形成するように前記画像形成手段を制御する
請求項１記載の画像形成装置。
【請求項４】
前記受付手段は、前記画像を前記対応する大きさで前記記録媒体に形成する指示を更に受け付け、
前記制御手段は、前記指示を受け付けた後に、前記画像を前記対応する大きさで前記記録媒体に形成するように前記画像形成手段を制御する
請求項２又は請求項３記載の画像形成装置。
【請求項５】
前記画像を表示する表示手段を更に備え、
前記受付手段で予め定めた内容を有する前記画像又は予め定めた大きさの前記画像を受け付けた場合、前記制御手段は、前記受付手段で前記指示を受け付ける際に、前記画像を表示するように前記表示手段を制御する
請求項４記載の画像形成装置。
【請求項６】
前記制御手段は、前記受付手段で受け付けた前記入力画像に、前記画像と、前記画像とは異なる画像又は文字が含まれる場合、前記画像と、前記画像とは異なる画像又は文字とが、１つの前記記録媒体に形成されないように前記画像形成手段を制御して、前記画像を前記記録媒体に形成させる
請求項１〜請求項５の何れか１項に記載の画像形成装置。
【請求項７】
コンピュータを、請求項１〜請求項６の何れか１項に記載した画像形成装置の制御手段として機能させるための画像形成プログラム。
【発明の詳細な説明】
【技術分野】
【０００１】
本発明は、画像形成装置、及び画像形成プログラムに関する。
【背景技術】
【０００２】
特許文献１には、印刷依頼に基づき複数の文書を一括して印刷制御する印刷制御装置において、前記印刷依頼に係わる複数の文書のそれぞれの縮小の可否を判別する判別手段と、前記印刷依頼に係わる複数の文書の中の縮小が可な文書の縮小率の閾値を予め設定する閾値設定手段と、前記縮小が可と判定された文書の縮小率を前記閾値設定手段で設定された縮小率の閾値を限度として決定する縮小率決定手段と、前記判別手段により縮小が否と判定された文書を等倍で印刷出力し、縮小が可と判定された文書を前記縮小率決定手段で決定された縮小率で縮小して印刷出力する印刷制御手段とを具備することを特徴とする印刷制御装置が開示されている。
【先行技術文献】
【特許文献】
【０００３】
【特許文献１】特開２００５−２４６７５２号公報
【発明の概要】
【発明が解決しようとする課題】
【０００４】
画像形成装置には、例えば用紙の大きさにあわせて画像を拡大又は縮小（以降、「拡縮」という）して画像を印刷する拡縮機能が備えられている場合がある。
【０００５】
本発明は、記録媒体の大きさにあわせて画像を拡大及び縮小する設定が行われている場合に、拡大または縮小をせずに利用したい画像について倍率が変更されてしまうという課題を解決することを目的とする。
【課題を解決するための手段】
【０００６】
上記目的を達成するために、請求項１記載の画像形成装置は、入力画像及び前記入力画像を形成する際の拡大または縮小に関する設定を受け付ける受付手段と、前記受付手段で受け付けた前記入力画像を記録媒体に形成する画像形成手段と、前記受付手段で受け付けた前記入力画像に、予め定められた条件を満たす画像が含まれる場合、前記受付手段により受け付けた設定に関わらず、前記画像を前記画像の本来の大きさに対応する大きさで前記記録媒体に形成するように、前記画像形成手段を制御する制御手段と、を備える。
【０００７】
請求項２記載の発明は、前記受付手段は前記対応する大きさを更に受け付け、前記制御手段は、前記受付手段で受け付けた前記入力画像に、前記対応する大きさを有する画像が含まれる場合、前記対応する大きさを有する画像を前記受付手段で受け付けた前記対応する大きさで前記記録媒体に形成するように前記画像形成手段を制御する。
【０００８】
請求項３記載の発明は、前記制御手段は、前記受付手段で受け付けた前記入力画像から前記画像を抽出し、抽出した前記画像を、前記画像に予め対応付けられた前記対応する大きさで前記記録媒体に形成するように前記画像形成手段を制御する。
【０００９】
請求項４記載の発明は、前記受付手段は、前記画像を前記対応する大きさで前記記録媒体に形成する指示を更に受け付け、前記制御手段は、前記指示を受け付けた後に、前記画像を前記対応する大きさで前記記録媒体に形成するように前記画像形成手段を制御する。
【００１０】
請求項５記載の発明は、前記画像を表示する表示手段を更に備え、前記受付手段で予め定めた内容を有する前記画像又は予め定めた大きさの前記画像を受け付けた場合、前記制御手段は、前記受付手段で前記指示を受け付ける際に、前記画像を表示するように前記表示手段を制御する。
【００１１】
請求項６記載の発明は、前記制御手段は、前記受付手段で受け付けた前記入力画像に、前記画像と、前記画像とは異なる画像又は文字が含まれる場合、前記画像と、前記画像とは異なる画像又は文字とが、１つの前記記録媒体に形成されないように前記画像形成手段を制御して、前記画像を前記記録媒体に形成させる。
【００１２】
請求項７記載の画像形成プログラムの発明は、コンピュータを、請求項１〜請求項６の何れか１項に記載した画像形成装置の制御手段として機能させる。
【発明の効果】
【００１３】
請求項１、及び請求項７記載の発明によれば、記録媒体の大きさにあわせて画像を拡大及び縮小する設定が行われている場合であっても、拡大または縮小をせずに利用したい画像の倍率を変更することなく記録媒体に形成することができる、という効果を有する。
【００１４】
請求項２記載の発明によれば、画像を本来の大きさに対応する大きさで記録媒体に形成することができる、という効果を有する。
【００１５】
請求項３記載の発明によれば、入力画像から抽出した画像を本来の大きさに対応する大きさで記録媒体に形成することができる、という効果を有する。
【００１６】
請求項４記載の発明によれば、指示を待たずに画像を本来の大きさに対応する大きさで記録媒体に形成する場合と比較して、本来の大きさに対応する大きさで記録媒体に形成する画像の取り違いを抑制することができる、という効果を有する。
【００１７】
請求項５記載の発明によれば、画像を確認しない場合と比較して、本来の大きさに対応する大きさで記録媒体に形成する画像の取り違いを更に抑制することができる、という効果を有する。
【００１８】
請求項６記載の発明によれば、入力画像に本来の大きさに対応する大きさで記録媒体に形成する画像と、当該画像とは異なる画像又は文字とが混在する場合であっても、本来の大きさに対応する大きさで記録媒体に形成する画像を、当該画像とは異なる画像又は文字が形成される記録媒体と異なる記録媒体に形成することができる、という効果を有する。
【図面の簡単な説明】
【００１９】
【図１】画像形成装置の一例を示す要部斜視図である。
【図２】画像形成装置の機能構成例を示す図である。
【図３】画像形成装置の電気系統の要部構成例を示す図である。
【図４】第１実施形態に係る画像形成処理の流れの一例を示すフローチャートである。
【図５】画像内容設定画面の一例を示す図である。
【図６】ファイル選択画面の一例を示す図である。
【図７】第１警告画面の一例を示す図である。
【図８】入力画像に画像と文章とが混在する場合の説明に用いる模式図である。
【図９】第２実施形態に係る画像形成処理の流れの一例を示すフローチャートである。
【図１０】第２警告画面の一例である。
【図１１】画像表示画面の一例である。
【図１２】第３実施形態に係る画像形成処理の流れの一例を示すフローチャートである。
【図１３】第４実施形態に係る画像形成処理の流れの一例を示すフローチャートである。
【発明を実施するための形態】
【００２０】
以下、図面を参照して、本発明を実施するための形態例を詳細に説明する。なお、作用又は機能が同じ働きを担う構成要素には全図面を通して同じ符合を付与し、重複する説明を省略する。
【００２１】
＜第１実施形態＞
図１に、画像形成装置１０の要部斜視図を示す。画像形成装置１０は一例として、紙等の記録媒体に形成された画像を画像データとして読み込むスキャナ機能、画像データに対応した画像を記録媒体に形成する印刷機能、公衆回線等に接続された他の画像形成装置等に対して、画像データを送信するファクシミリ（facsimile:FAX）機能、及び記録媒体に形成された画像を他の記録媒体に複写する複写機能を有する。
【００２２】
なお、画像形成装置１０が有する機能はスキャナ機能、印刷機能、ＦＡＸ機能、及び複写機能に限定されず、例えば３次元プリンタのようにデータに基づいて立体物を形成する機能を含むものであってもよい。
【００２３】
画像形成装置１０には、画像形成装置１０に備えられた各機能を制御する制御部２が含まれる。そして、画像形成装置１０の上部には、例えば原稿読み取り部１２が設けられ、原稿読み取り部１２の下方に画像形成部１４が設けられている。
【００２４】
原稿読み取り部１２は、図示しない光学読み取り装置と原稿カバー１６内の原稿搬送部１８を含んで構成される。原稿搬送部１８は、原稿カバー１６に設けられている原稿台１６Ａ上に載せられた原稿２０を順に引き込んで、図示しない搬送原稿読み取りガラス上に搬送する。そして、原稿読み取り部１２は、図示しない搬送原稿読み取りガラス上に搬送された原稿２０の画像を、図示しない光学読み取り装置で画像データとして読み取る。その後、原稿搬送部１８は、画像の読み込みが終了した原稿２０を原稿カバー１６に設けられている排出台１６Ｂ上に排出する。
【００２５】
一方、画像形成部１４は、記録媒体の種別やサイズ毎に分類された用紙収容部２８に収容される記録媒体上に、例えば電子写真方式によって画像データに基づいた画像を形成する。なお、画像形成部１４が記録媒体に形成する画像の色に制限はなく、カラー画像であっても白黒画像であってもよい。画像形成部１４は画像形成手段の一例である。
【００２６】
画像形成装置１０の利用者（以降、「利用者」という）によってスキャナ機能の使用が指示された場合、制御部２は、原稿読み取り部１２を制御し、原稿読み取り部１２で読み取った原稿２０の画像データを記憶媒体に記憶する。
【００２７】
また、利用者によって印刷機能の使用が指示された場合、制御部２は、画像形成部１４を制御し、ユーザによって指定された画像データに基づく画像を記録媒体に形成する。
【００２８】
また、利用者によってＦＡＸ機能の使用が指示された場合、制御部２は、原稿読み取り部１２を制御して原稿読み取り部１２で読み取った原稿２０の画像データ、又はユーザによって指定された画像データを、公衆回線等に接続されたＦＡＸ機能を有する指定先の他の画像形成装置へ送信すると共に、当該他の画像形成装置で画像データを受信した場合、画像形成部１４を制御して、受信した画像データに基づく画像を記録媒体に形成する。
【００２９】
また、利用者によって複写機能の使用が指示された場合、制御部２は、原稿読み取り部１２を制御して原稿読み取り部１２で読み取った原稿２０の画像データ、又はユーザによって指定された画像データを、画像形成部１４を制御して記録媒体に形成する。
【００３０】
一方、画像形成装置１０には、利用者による各種機能の実行に関する操作を受け付けると共に、画像形成装置１０の機能に関する各種情報を表示する操作表示部２２が設けられている。具体的には、操作表示部２２には、例えばタッチパネルが重畳され、ソフトウェアプログラムによってユーザからの操作を受け付ける表示ボタン等や各種情報が表示されるディスプレイ２４、並びに、テンキー及びスタートボタンなどのハードウェアキー２６等が設けられている。
【００３１】
更に、操作表示部２２には、例えばUniversal Serial Bus(USB)メモリやメモリカード等の可搬型記憶媒体を接続し、可搬型記憶媒体に記憶された画像データで表される画像を画像形成装置１０に読み込むと共に、例えばスキャナ機能で原稿２０から読み取った画像データ等、画像形成装置１０内部のデータを可搬型記憶媒体に書き込むインターフェースとなる外部端子３０を備える。なお、外部端子３０の位置は一例であり、操作表示部２２と異なる場所に外部端子３０を設けてもよいことは言うまでもない。
【００３２】
図２は、画像形成装置１０の構成例を示す機能ブロック図である。画像形成装置１０は、制御部２、原稿読み取り部１２、画像形成部１４、操作表示部２２、受付部４０、及び表示部４２を含む。
【００３３】
受付部４０は受付手段の一例であり、原稿読み取り部１２のタッチパネル及びハードウェアキー２６を介して、利用者から画像形成装置１０の動作を規定する情報である動作情報を受け付けると共に、原稿読み取り部１２の外部端子３０に挿入された可搬型記憶媒体に記憶される画像を受け付ける。また、受付部４０は、原稿読み取り部１２で読み取った原稿２０の画像を受け付ける。以降では、可搬型記憶媒体に記憶される画像、又は原稿読み取り部１２で読み取った画像を、「入力画像」ということにする。受付部４０は、受け付けた動作情報及び入力画像を制御部２に通知する。
【００３４】
動作情報には、例えば画像形成装置１０で実行する機能等を指示する各種指示と、実行する機能の動作を規定する属性が含まれる。
【００３５】
属性には、ファックス機能であれば、例えば送信先ＦＡＸ番号及び画像解像度等が含まれ、スキャナ機能であれば、例えば画像読み込み解像度の指定等が含まれる。また、属性には、印刷機能及び複写機能であれば、例えば印刷又は複写対象となる画像のファイル名、カラー印刷か白黒印刷かを指定するカラー指定情報、両面印刷か片面印刷かを指定する画像形成面情報、入力画像から特定の書類の画像を抽出するための抽出情報等が含まれる。なお、抽出情報の詳細については後ほど説明する。
【００３６】
制御部２は制御手段の一例であり、受付部４０から動作情報及び入力画像を受け付けると、動作情報に含まれる属性に従って画像形成装置１０を制御し、動作情報で指示された機能を実行する。例えば動作情報に印刷機能の指示が含まれる場合、制御部２は画像形成部１４を制御し、受け付けた入力画像を動作情報に含まれる属性に従って記録媒体に形成する。
【００３７】
表示部４２は表示手段の一例であり、制御部２から受け付けた入力画像の全体又は一部を、例えば操作表示部２２のディスプレイ２４に表示する。
【００３８】
次に、図３を参照して、画像形成装置１０の電気系統の要部構成について説明する。画像形成装置１０の制御部２は、例えばコンピュータ１００を用いて構成される。
【００３９】
コンピュータ１００は、ＣＰＵ(Central Processing Unit)１０２、ＲＡＭ(Random Access Memory)１０４、ＲＯＭ(Read Only Memory)１０６、不揮発性メモリ１０８、及び入出力インターフェース（Input Output:Ｉ／Ｏ）１１０がバス１１２を介して各々接続され、Ｉ／Ｏ１１０には原稿読み取り部１２、画像形成部１４、ディスプレイ２４、入力デバイス７０、及び通信装置７２が接続されている。
【００４０】
ＲＡＭ１０４は、ＣＰＵ１０２によるプログラムの実行時のワークエリア等として用いられ、ＲＯＭ１０６には、画像形成装置１０の動作を規定したプログラムが予め記憶されている。更に、不揮発性メモリ１０８には、プログラムの実行時にＣＰＵ１０２が参照する各種パラメータ及びテーブル等が予め記憶される。
【００４１】
また、入力デバイス７０は、操作表示部２２に設置されるタッチパネル、ハードウェアキー２６、及び可搬型記憶媒体を接続する外部端子３０を含む。
【００４２】
通信装置７２は、画像形成装置１０を公衆回線に接続し、ＦＡＸ機能を有する他の画像形成装置とＦＡＸ機能を用いて画像データを送受信する。なお、通信装置７２は、公衆回線だけではなくインターネット等の通信回線に接続し、データを送受信する。
【００４３】
図３に示したＩ／Ｏ１１０に接続される装置は一例であり、図３に示した装置等に限られないことは言うまでもない。
【００４４】
次に、画像形成装置１０の作用について説明する。図４は、予め画像形成装置１０の拡縮機能が有効になるように設定され、且つ、利用者から印刷機能の実行を指示する動作情報を、受付部４０を介して制御部２で受け付けた場合に、ＣＰＵ１０２によって実行される画像形成処理の流れの一例を示すフローチャートである。
【００４５】
画像形成処理を実行するプログラムは、画像形成装置１０における画像形成プログラムの一例であり、画像形成プログラムは、例えばＲＯＭ１０６に予めインストールされている。
【００４６】
なお、画像形成装置１０の設置場所に制約はないが、ここでは一例として、コンビニエンスストアやスーパーマーケット等の店舗に画像形成装置１０を設置した形態を想定する。そして、利用者が銀行等で本人であることを証明する書類の写しを取得するため、可搬型記憶媒体を外部端子３０に挿入し、可搬型記憶媒体に記憶されたパスポートの画像を含む入力画像を画像形成装置１０で印刷する場合について説明する。画像形成装置１０がインターネット等の通信回線に接続されている場合には、利用者はスマートフォン等の情報機器から予め画像形成装置１０に入力画像を送信してもよい。
【００４７】
まず、ステップＳ１０において、制御部２は、身分の確認に用いられる書類（確認書類）のうち、何れの種類の確認書類の画像が入力画像に含まれているかをユーザに入力させるための画面である画像内容設定画面をディスプレイ２４に表示するように、表示部４２を制御する。
【００４８】
図５は画像内容設定画面５０の一例を示す図である。画像内容設定画面５０には、確認書類の名称、確認書類の名称の各々と対応するチェックボックス６４、確定ボタン６０、及びキャンセルボタン６２が含まれる。
【００４９】
また、確認書類の名称には、それぞれの確認書類の原寸大の大きさ（設定画像サイズ）が示されている。例えば確認書類がパスポートの場合、設定画像サイズが縦１２５ｍｍ×横８８ｍｍであることが示されている。
【００５０】
図５に示す画像内容設定画面５０では、確認書類の名称として「パスポート」、「免許証」、及び「その他」が表示されているが、これは一例であり、例えば「健康保険証」、「年金手帳」、「マイナンバーカード」等の他の確認書類を含む一覧が表示される。
【００５１】
利用者が印刷したい確認書類に対応したチェックボックス６４を選択してチェックボックス６４にチェックマークを付与し、確定ボタン６０を押下することで、印刷対象となる確認書類の設定画像サイズが受付部４０を介して制御部２に通知される。
【００５２】
利用者が「その他」に対応したチェックボックス６４を選択した場合、制御部２は、ユーザがエディットボックス６６Ａ及び６６Ｂに数値が入力できるように表示部４２を制御する。ユーザは、エディットボックス６６Ａにその他の確認書類の縦方向の長さを入力し、且つ、エディットボックス６６Ｂにその他の確認書類の横方向の長さを入力することで、その他の確認書類の設定画像サイズを設定する。そして、ユーザが確定ボタン６０を押下した場合、印刷対象となるその他の確認書類の設定画像サイズが受付部４０を介して制御部２に通知される。
【００５３】
一方、利用者がキャンセルボタン６２を押下した場合、制御部２は、画像内容設定画面５０の各チェックボックス６４、及びエディットボックス６６Ａ、６６Ｂを未選択又は未設定の状態に戻すように表示部４２を制御し、画像内容設定画面５０に対する新たな設定に備える。
【００５４】
ステップＳ２０において、制御部２は、画像内容設定画面５０の確定ボタン６０が押下されたか否かを判定する。確定ボタン６０が押下されていない場合には、確定ボタン６０が押下されるまでステップＳ２０の処理を繰り返し、確定ボタン６０の押下状況を監視する。画像内容設定画面５０の確定ボタン６０が押下された場合には、ステップＳ３０に移行する。
【００５５】
ステップＳ３０において、制御部２は、利用者による画像内容設定画面５０の確定ボタン６０の押下に伴って通知された、確認書類の設定画像サイズを取得し、例えばＲＡＭ１０４の予め定めた領域に記憶する。なお、確認書類の設定画像サイズは抽出情報の一例である。
【００５６】
ステップＳ４０において、制御部２は、可搬型記憶媒体に記憶される入力画像のファイル名一覧を表示し、印刷したい確認書類の画像が含まれる入力画像をユーザに選択させる画面であるファイル選択画面がディスプレイ２４に表示されるように、表示部４２を制御する。
【００５７】
図６は、ファイル選択画面５２の一例を示す図である。ファイル選択画面５２には、可搬型記憶媒体に記憶される入力画像のファイル名、入力画像の各々と対応するチェックボックス６４、確定ボタン６０、及びキャンセルボタン６２が含まれる。
【００５８】
利用者が、ファイル選択画面５２に表示される入力画像のファイル名のうち、印刷したい確認書類の画像が含まれる入力画像に対応したチェックボックス６４を選択してチェックボックス６４にチェックマークを付与し、確定ボタン６０を押下することで、印刷対象である入力画像のファイル名が受付部４０を介して制御部２に通知される。通知された入力画像のファイル名は、例えばＲＡＭ１０４の予め定めた領域に記憶する。図６の例は、“Passport.pdf”を利用者が選択した状態を示している。
【００５９】
なお、利用者がキャンセルボタン６２を押下した場合、制御部２は、ファイル選択画面５２の各チェックボックス６４を未選択の状態に戻すように表示部４２を制御し、利用者による入力画像の新たな選択に備える。
【００６０】
ステップＳ５０において、制御部２はステップＳ４０で通知された入力画像の内容を解析し、入力画像の中にステップＳ３０で取得した設定画像サイズに対応する画像が含まれるか否かを判定する。
【００６１】
ここで、設定画像サイズに対応する画像とは、設定画像サイズを含む予め定めた範囲内の大きさを有する画像のことをいう。確認書類がパスポートの場合、設定画像サイズは縦１２５ｍｍ×横８８ｍｍとなる。しかし、パスポートの画像を入力画像に取り込む際の設定等によって、入力画像に含まれるパスポートの画像の大きさが設定画像サイズと異なってしまうことがある。
【００６２】
したがって、制御部２は、画像の大きさの誤差を考慮して、設定画像サイズの縦及び横の長さに対して、例えば各々±１０ｍｍ程度の範囲（許容範囲）を設け、当該許容範囲内に含まれる大きさの画像が入力画像に含まれるか否かを判定する。
【００６３】
具体的には、許容範囲を±１０ｍｍとし、確認書類としてパスポートが選択された場合、入力画像の中に縦１１５ｍｍ×横７８ｍｍの大きさ以上、且つ、縦１３５ｍｍ×横９８ｍｍの大きさ以下の画像が含まれるか否かを判定することになる。
【００６４】
なお、画像の大きさの誤差を考慮して設定画像サイズに対して設定する許容範囲の値に制約はなく、±１０ｍｍに限られない。画像取り込みの際、例えば画像の大きさが原寸大より大きくなる傾向がある場合には、設定画像サイズを下限値とする許容範囲を設定してもよい。反対に、画像取り込みの際、例えば画像の大きさが原寸大より小さくなる傾向がある場合には、設定画像サイズを上限値とする許容範囲を設定してもよい。
【００６５】
ステップＳ５０の判定処理が否定判定の場合、すなわち、入力画像に設定画像サイズに対応する画像が含まれない場合にはステップＳ８０に移行する。一方、肯定判定の場合、すなわち、入力画像に設定画像サイズに対応する画像が含まれる場合にはステップＳ６０に移行する。
【００６６】
ステップＳ６０において、制御部２は、ステップＳ５０で設定画像サイズに対応する画像として判定した画像に対して、拡縮印刷するか等倍印刷するかを利用者に選択させる第１警告画面をディスプレイ２４に表示するように、表示部４２を制御する。ここで、等倍印刷とは、設定画像サイズに対応する画像を設定画像サイズで表される原寸大の大きさで記録媒体に形成する印刷形態のことをいう。
【００６７】
図７は、第１警告画面５４の一例を示す図である。第１警告画面５４には、利用者への警告内容を表示する表示領域６７、拡縮ボタン６８、及び等倍ボタン６９が含まれる。
【００６８】
表示領域６７には、例えば「選択されたファイルには、パスポートサイズの画像が含まれていますが、拡縮印刷しますか？それとも等倍印刷に切り替えますか？」のように、ステップＳ３０で取得した設定画像サイズに対応する確認書類の名称、並びに、拡縮印刷及び等倍印刷の何れの印刷を実行するかを利用者に選択させる趣旨の文章が表示される。
【００６９】
利用者が拡縮ボタン６８を押下した場合、拡縮印刷指示が受付部４０を介して制御部２に通知される。また、利用者が等倍ボタン６９を押下した場合、等倍印刷指示が受付部４０を介して制御部２に通知される。
【００７０】
既に説明したように、画像形成装置１０では拡縮機能が有効に設定されているため、確認書類の画像に対しても拡縮機能が適用され、制御部２が、例えば記録媒体の大きさにあわせて確認書類の画像の大きさを調整して記録媒体に形成することになる。
【００７１】
しかし、図７に示す第１警告画面５４をディスプレイ２４に表示し、利用者に確認書類の画像を拡縮印刷するのか、等倍印刷するのかを選択させることで、画像形成装置１０が利用者の意図に反して確認書類の画像を拡縮印刷してしまうことを抑制する。
【００７２】
ステップＳ７０において、制御部２は、受付部４０から等倍印刷指示を受け付けたか否か、すなわち、利用者が第１警告画面５４の等倍ボタン６９を押下したか否かを判定する。
【００７３】
利用者が等倍ボタン６９を押下しなかった場合、すなわち、利用者が拡縮ボタン６８を押下した場合、及びステップＳ５０の判定処理が否定判定の場合には、ステップＳ８０に移行する。そして、ステップＳ８０において、制御部２は、ステップＳ４０で取得したファイル名に対応する入力画像を拡縮して印刷するように、画像形成部１４を制御する。すなわち、入力画像に設定画像サイズに対応する画像が含まれる場合には、設定画像サイズに対応する画像も拡縮して印刷されることになる。
【００７４】
一方、利用者が等倍ボタン６９を押下した場合にはステップＳ９０に移行する。そして、ステップＳ９０において、制御部２は、ステップＳ４０で取得したファイル名に対応する入力画像に含まれ、且つ、ステップＳ３０で取得した設定画像サイズに対応する画像を等倍で印刷するように画像形成部１４を制御する。
【００７５】
以上によって図４に示す画像形成処理を終了する。
【００７６】
なお、図４に示す画像形成処理では、ステップＳ６０で第１警告画面５４をディスプレイ２４に表示して、利用者に等倍印刷を行うか否かを選択させた。しかし、ステップＳ５０の判定処理によって入力画像に設定画像サイズに対応する画像が含まれていることがわかっているため、制御部２は、利用者からの等倍印刷の指示を待たずに、すなわち、ステップＳ６０及びＳ７０の処理を実行せずに、ステップＳ９０で入力画像に含まれる設定画像サイズに対応する画像を等倍で印刷するようにしてもよい。
【００７７】
また、図８に示すように、入力画像の１つのページに確認書類の一例であるパスポートの画像と文章とが混在し、且つ、利用者が第１警告画面５４の等倍ボタン６９が押下した場合、画像形成装置１０は、入力画像の１つのページに含まれるパスポートの画像と文章とを分離して、それぞれ異なる記録媒体上に形成する。この際、パスポートの画像は等倍で記録媒体に形成し、文章は拡縮して記録媒体に形成してもよいし、パスポートの画像及び文章共に、等倍で記録媒体に形成してもよい。
【００７８】
図８では、入力画像の１つのページに確認書類の画像と文章とが混在する例を示したが、確認書類の画像と、確認書類の画像とは異なる別の画像と、が入力画像の１つのページに混在する場合がある。この場合も、利用者が第１警告画面５４の等倍ボタン６９を押下した場合、画像形成装置１０は、入力画像の１つのページに含まれる確認書類の画像と、確認書類の画像とは異なる別の画像と、を分離して、それぞれ異なる記録媒体上に形成する。
【００７９】
本人確認の際に使用する確認書類の画像が形成された記録媒体に、確認書類の画像以外の情報が一緒に含まれることは好ましくないため、１つのページに確認書類の画像と、文章又は別の画像とが混在する場合、利用者によっては確認書類の画像の位置を変更して、１つのページに確認書類の画像だけが含まれるように入力画像を修正することがある。しかし、画像形成装置１０では、入力画像の１つのページに確認書類の画像と、確認書類の画像とは異なる別の画像及び文章の少なくとも１つと、が混在する場合であっても、入力画像における確認書類の画像の位置を修正することなく、確認書類の画像だけが形成された記録媒体を得ることができる。
【００８０】
このように第１実施形態に係る画像形成装置１０は、拡縮機能を実行するように予め設定されている場合であっても、入力画像に利用者が選択した設定画像サイズに対応する画像が含まれる場合、設定画像サイズに対応する画像を設定画像サイズで示される原寸大の大きさで記録媒体に形成する。
【００８１】
したがって、確認書類の画像が意図せず拡縮されて記録媒体に形成されることを抑制することができる。
【００８２】
＜第２実施形態＞
第１実施形態では、パスポートを例として、入力画像に含まれる確認書類の画像を等倍で記録媒体に形成する形態について説明した。
【００８３】
確認書類としてはパスポートの他、自動車運転免許証（以降、「免許証」という）が用いられることがある。免許証は多くの人に広く普及していることから、財布等のカード収納部分の大きさも免許証の大きさを基準にして設計されることがある。したがって、免許証の大きさにあわせて、ポイントカード等の様々な種類のカードが作成される傾向にある。
【００８４】
すなわち、免許証の大きさに対応する設定画像サイズの画像が入力画像に含まれるからといって、当該画像が免許証でなく、他のカードの画像である場合が考えられる。
【００８５】
したがって、第２実施形態では、予め定めた設定画像サイズに対応する画像を表示して、利用者に確認させる画像形成装置１０Ａについて説明する。
【００８６】
なお、画像形成装置１０Ａの機能のブロック構成、及び電気系統の要部構成には、それぞれ図２及び図３に示した第１実施形態に係る画像形成装置１０の機能ブロック構成例、及び電気系統の要部構成例が用いられる。
【００８７】
次に、画像形成装置１０Ａの作用について説明する。図９は、予め画像形成装置１０Ａの拡縮機能が有効になるように設定され、且つ、利用者から印刷機能の実行を指示する動作情報を、受付部４０を介して制御部２で受け付けた場合に、ＣＰＵ１０２によって実行される画像形成処理の流れの一例を示すフローチャートである。
【００８８】
画像形成処理を実行するプログラムは、画像形成装置１０Ａにおける画像形成プログラムの一例であり、画像形成プログラムは、例えばＲＯＭ１０６に予めインストールされている。
【００８９】
ここでは、利用者が可搬型記憶媒体を外部端子３０に挿入し、可搬型記憶媒体に記憶された免許証の画像を含む入力画像を画像形成装置１０Ａで印刷する場合について説明する。
【００９０】
図９に示す画像形成装置１０Ａの画像形成処理が、図４に示した第１実施形態に係る画像形成装置１０の画像形成処理と異なる点は、ステップＳ５２〜Ｓ５８が追加された点である。
【００９１】
ステップＳ５０において、入力画像の中にステップＳ３０で取得した設定画像サイズに対応する画像が含まれる場合、ステップＳ５２に移行する。
【００９２】
ステップＳ５２において、制御部２は、ステップＳ３０で取得した設定画像サイズが免許証の大きさであるか否かを判定する。否定判定の場合にはステップＳ６０に移行し、既に説明した第１警告画面５４をディスプレイ２４に表示するように、表示部４２を制御する。
【００９３】
一方、ステップＳ５２の判定処理が肯定判定の場合、すなわち、利用者が免許証の画像を記録媒体に形成しようとしている場合には、ステップＳ５４に移行する。
【００９４】
ステップＳ５４において、制御部２は、ステップＳ５０で免許証の設定画像サイズに対応する画像として判定された画像に対して、拡縮印刷、等倍印刷、及び画像確認の何れかを利用者に選択させる第２警告画面をディスプレイ２４に表示するように、表示部４２を制御する。
【００９５】
図１０は、ステップＳ５４でディスプレイ２４に表示される第２警告画面５６の一例である。第２警告画面５６には、利用者への警告内容を表示する表示領域６７、拡縮ボタン６８、及び等倍ボタン６９の他、画像確認ボタン６５が含まれる。
【００９６】
画像確認ボタン６５は、ステップＳ５０で免許証の設定画像サイズに対応する画像として判定された画像を、ディスプレイ２４に表示させるためのボタンであり、利用者が画像確認ボタン６５を押下した場合、画像表示指示が受付部４０を介して制御部２に通知される。
【００９７】
また、表示領域６７には、例えば「選択されたファイルには、免許証サイズの画像が含まれていますが、拡縮印刷しますか？それとも等倍印刷に切り替えますか？（画像を確認してからの選択をお勧めします）」のように、ステップＳ６０で表示する第１警告画面５４の内容に加えて、画像確認ボタン６５を押下し、設定画像サイズに対応する画像が確認書類の画像として正しい画像であるかを確認するように利用者に促す趣旨の文章が表示される。
【００９８】
ステップＳ５６において、制御部２は、利用者が第２警告画面５６の画像確認ボタン６５、拡縮ボタン６８、及び等倍ボタン６９の何れかを押下した際に受付部４０から通知される指示を待ち、通知された指示が画像確認ボタン６５を押下した際に通知される画像表示指示であるか否かを判定する。
【００９９】
画像表示指示以外の指示、すなわち、拡縮ボタン６８を押下した際に通知される拡縮印刷指示、又は等倍ボタン６９を押下した際に通知される等倍印刷指示を受信した場合にはステップＳ７０に移行し、今度は等倍印刷指示を受け付けたか否かを判定する。一方、画像表示指示を受け付けた場合には、ステップＳ５８に移行する。
【０１００】
ステップＳ５８において、制御部２は、ステップＳ５０で免許証の設定画像サイズに対応する画像として判定された画像を表示する画像表示画面をディスプレイ２４に表示するように、表示部４２を制御する。
【０１０１】
図１１は、ステップＳ５８でディスプレイ２４に表示される画像表示画面５８の一例である。画像表示画面５８には、ステップＳ５０で免許証の設定画像サイズに対応する画像として判定された画像を表示する画像表示領域６３、拡縮ボタン６８、及び等倍ボタン６９が含まれる。
【０１０２】
利用者は、画像表示領域６３に表示される画像を参照して、表示される画像が免許証の画像であれば等倍ボタン６９を押下して、制御部２に等倍印刷指示を通知する。一方、表示される画像が免許証以外の画像であれば、等倍で印刷しなくてもよいため、拡縮ボタン６８を押下して、制御部２に拡縮印刷指示を通知する。そして、ステップＳ７０以降の処理によって、通知された指示に応じた処理が実行される。
【０１０３】
このように第２実施形態に係る画像形成装置１０Ａは、予め定めた設定画像サイズに対応する画像が入力画像に含まれる場合、利用者の選択によって当該画像を画像表示画面５８に表示する。したがって、利用者の意図しない画像が等倍で記録媒体に形成される事象が抑制される。
【０１０４】
なお、ここでは一例として、設定画像サイズが免許証の大きさの場合に画像表示画面５８を表示したが、免許証以外の他の確認書類の大きさの場合にも画像表示画面５８を表示するようにしてもよい。
【０１０５】
また、画像形成装置１０Ａは、利用者によって第２警告画面５６の画像確認ボタン６５が押下された場合に画像表示画面５８を表示する。しかし、画像確認ボタン６５が押下されなくとも、画像表示画面５８を表示するようにしてもよい。この場合、画像確認ボタン６５が押下された場合に画像表示画面５８を表示する場合と比較して、利用者の意図しない画像が等倍で記録媒体に形成される事象が更に抑制されることになる。
【０１０６】
また、特定の設定画像サイズに対応する画像が入力画像に含まれる場合に画像表示画面５８を表示するのではなく、何れの設定画像サイズに対応する画像に対しても画像表示画面５８を表示するようにしてもよい。
【０１０７】
＜第３実施形態＞
第１実施形態及び第２実施形態では、利用者が入力画像に含まれる確認書類の画像の種類を予め把握した上で、図５に示した画像内容設定画面５０で入力画像に含まれる確認書類の種類を選択した。
【０１０８】
しかし、利用者は入力画像に何らかの確認書類の画像が含まれることまでは把握しているが、具体的な確認書類の種類までは知らないことがある。この場合、利用者は入力画像の内容を確認すればよいが、外出等のため周囲に入力画像の内容を確認できる情報機器がない等の理由により、入力画像の内容を確認することが困難な場合がある。
【０１０９】
第３実施形態では、入力画像に含まれる確認書類の画像の種類が不明である場合であっても、入力画像に含まれる確認書類の画像を原寸大の大きさで記録媒体に形成する画像形成装置１０Ｂについて説明する。
【０１１０】
なお、画像形成装置１０Ｂの機能のブロック構成、及び電気系統の要部構成には、それぞれ図２及び図３に示した第１実施形態に係る画像形成装置１０の機能ブロック構成例、及び電気系統の要部構成例が用いられる。
【０１１１】
次に、画像形成装置１０Ｂの作用について説明する。図１２は、予め画像形成装置１０Ｂの拡縮機能が有効になるように設定され、且つ、利用者から印刷機能の実行を指示する動作情報を、受付部４０を介して制御部２で受け付けた場合に、ＣＰＵ１０２によって実行される画像形成処理の流れの一例を示すフローチャートである。
【０１１２】
画像形成処理を実行するプログラムは、画像形成装置１０Ｂにおける画像形成プログラムの一例であり、画像形成プログラムは、例えばＲＯＭ１０６に予めインストールされている。
【０１１３】
ここでは、利用者が可搬型記憶媒体を外部端子３０に挿入し、可搬型記憶媒体に記憶された入力画像に含まれる確認書類の画像を画像形成装置１０Ｂで印刷する場合について説明する。
【０１１４】
まず、ステップＳ１００において、制御部２は、図４のステップＳ４０と同じく、可搬型記憶媒体に記憶される入力画像のファイル名の一覧を表示するファイル選択画面５２をディスプレイ２４に表示するように、表示部４２を制御する。そして、制御部２は、チェックボックス６４の選択により利用者に選択された入力画像のファイル名を、受付部４０を介して受け付ける。
【０１１５】
ステップＳ１１０において、制御部２は、ステップＳ１００で受け付けたファイル名に対応する入力画像の内容を解析し、選択された入力画像から何らかの確認書類の画像を抽出する。
【０１１６】
確認書類は、例えば免許証に代表されるように人物写真の位置や氏名及び住所等の表示位置といった情報の表示位置が予め規定されている。したがって、例えば不揮発性メモリ１０８の予め定めた領域に、基準となる予め定めた複数種類の確認書類の画像を記憶しておき、入力画像に含まれる画像と、不揮発性メモリ１０８内の確認書類の画像と、を確認書類毎に順次比較することで、入力画像に含まれる画像と最も特徴が類似する確認書類を当該画像に対応付ける。画像間における特徴の類似度合いを示す指標には、例えば類似度が用いられ、類似度が高いほど画像が類似していることを表す。
【０１１７】
なお、入力画像に含まれる画像の中には、確認書類以外の画像も含まれる。したがって、予め閾値を設け、制御部２は、何れの確認書類の画像に対しても類似度が当該閾値以下となる画像に対しては、当該画像は確認書類の画像ではないと判断する。
【０１１８】
ステップＳ１２０において、制御部２は、ステップＳ１１０で入力画像に含まれる画像に対応付けた確認書類の設定画像サイズを当該画像に更に対応付けて、ＲＡＭ１０４の予め定めた領域に記憶する。なお、確認書類毎の設定画像サイズは、各確認書類の画像と共に不揮発性メモリ１０８に記憶しておけばよい。
【０１１９】
ステップＳ１３０において、制御部２は、図４のステップＳ６０と同じく、ステップＳ１１０で何れかの確認書類と対応付けた画像に対する第１警告画面５４をディスプレイ２４に表示するように、表示部４２を制御する。
【０１２０】
ステップＳ１４０において、制御部２は、図４のステップＳ７０と同じく、受付部４０から等倍印刷指示を受け付けたか否か、すなわち、利用者がステップＳ１３０で表示した第１警告画面５４の等倍ボタン６９を押下したか否かを判定する。
【０１２１】
利用者が等倍ボタン６９を押下しなかった場合、すなわち、利用者が拡縮ボタン６８を押下した場合には、ステップＳ１５０に移行する。そして、ステップＳ１５０において、制御部２は、ステップＳ１００で受け付けたファイル名に対応する入力画像を拡縮して印刷するように、画像形成部１４を制御する。すなわち、入力画像にステップＳ１１０で確認書類に対応付けられた画像が含まれる場合であっても、当該確認書類に対応付けられた画像は拡縮して印刷されることになる。
【０１２２】
一方、利用者が等倍ボタン６９を押下した場合にはステップＳ１６０に移行する。そして、ステップＳ１６０において、制御部２は、ステップＳ１１０で確認書類に対応付けられた画像を等倍で印刷するように、画像形成部１４を制御する。
【０１２３】
このように第３実施形態に係る画像形成装置１０Ｂは、入力画像に含まれる画像が何らかの確認書類の画像であるかを、記憶装置に記憶した予め定めた複数種類の確認書類の画像と比較することで判定する。入力画像に確認書類の画像が含まれ、且つ、利用者が等倍で印刷することを指示した場合、画像形成装置１０Ｂは、確認書類の画像を原寸大の大きさで記録媒体に形成する。
【０１２４】
したがって、入力画像に含まれる確認書類の画像の種類が不明である場合であっても、入力画像に含まれる確認書類の画像が原寸大の大きさで記録媒体に形成される。
【０１２５】
なお、入力画像に何れの確認書類の画像も含まれない場合には、ステップＳ１３０で表示する第１警告画面５４の表示領域６７に、入力画像に確認書類の画像が含まれない旨の趣旨を表す文章を表示すればよい。
【０１２６】
＜第４実施形態＞
第４実施形態では、入力画像に何らかの確認書類の画像が含まれるか判定し、入力画像に含まれる確認書類の設定画像サイズが予め定めた設定画像サイズである場合、利用者の選択によって当該画像を利用者に表示する画像形成装置１０Ｃについて説明する。
【０１２７】
すなわち、画像形成装置１０Ｃは、第３実施形態に係る画像形成装置１０Ｂに、第２実施形態で説明した画像表示画面５８を表示する処理を追加したものである。
【０１２８】
ここでは一例として、予め定めた設定画像サイズを免許証の大きさに設定した画像形成装置１０Ｃについて説明するが、他の確認書類の大きさを予め定めた設定画像サイズとしてもよいことは言うまでもない。
【０１２９】
なお、画像形成装置１０Ｃの機能のブロック構成、及び電気系統の要部構成には、それぞれ図２及び図３に示した第１実施形態に係る画像形成装置１０の機能ブロック構成例、及び電気系統の要部構成例が用いられる。
【０１３０】
次に、画像形成装置１０Ｃの作用について説明する。図１３は、予め画像形成装置１０Ｃの拡縮機能が有効になるように設定され、且つ、利用者から印刷機能の実行を指示する動作情報を、受付部４０を介して制御部２で受け付けた場合に、ＣＰＵ１０２によって実行される画像形成処理の流れの一例を示すフローチャートである。
【０１３１】
画像形成処理を実行するプログラムは、画像形成装置１０Ｃにおける画像形成プログラムの一例であり、画像形成プログラムは、例えばＲＯＭ１０６に予めインストールされている。
【０１３２】
ここでは、利用者が可搬型記憶媒体を外部端子３０に挿入し、可搬型記憶媒体に記憶された免許証の画像を含む入力画像を画像形成装置１０Ｃで印刷する場合について説明する。
【０１３３】
図１３に示す画像形成装置１０Ｃの画像形成処理が、図１２に示した第３実施形態に係る画像形成装置１０Ｂの画像形成処理と異なる点は、ステップＳ１２２〜Ｓ１２８が追加された点である。
【０１３４】
ステップＳ１２２において、制御部２は、ステップＳ１２０で入力画像に含まれる画像に対応付けた確認書類の設定画像サイズが免許証の大きさであるか否かを判定する。否定判定の場合にはステップＳ１３０に移行し、既に説明した第１警告画面５４をディスプレイ２４に表示するように、表示部４２を制御する。
【０１３５】
一方、ステップＳ１２２の判定処理が肯定判定の場合、すなわち、利用者が免許証の大きさの画像が含まれる入力画像を記録媒体に形成しようとしている場合には、ステップＳ１２４に移行する。
【０１３６】
ステップＳ１２４において、制御部２は、入力画像に免許証と推測される画像が含まれることを警告する第２警告画面５６をディスプレイ２４に表示するように、表示部４２を制御する。
【０１３７】
ステップＳ１２６において、制御部２は、利用者が第２警告画面５６の画像確認ボタン６５、拡縮ボタン６８、及び等倍ボタン６９の何れかを押下した際に受付部４０から通知される指示を待ち、通知された指示が画像確認ボタン６５を押下した際に通知される画像表示指示であるか否かを判定する。
【０１３８】
画像表示指示以外の指示、すなわち、拡縮ボタン６８を押下した際に通知される拡縮印刷指示、又は等倍ボタン６９を押下した際に通知される等倍印刷指示を受信した場合にはステップＳ１４０に移行し、今度は等倍印刷指示を受け付けたか否かを判定する。一方、画像表示指示を受け付けた場合には、ステップＳ１２８に移行する。
【０１３９】
ステップＳ１２８において、制御部２は、ステップＳ１２０で免許証の設定画像サイズが対応付けられた画像を表示する、図１１に示した画像表示画面５８をディスプレイ２４に表示するように、表示部４２を制御する。
【０１４０】
このように第４実施形態に係る画像形成装置１０Ｃは、入力画像に含まれる画像が予め定めた設定画像サイズに対応する画像である場合、利用者の選択によって当該画像を画像表示画面５８に表示する。したがって、利用者の意図しない画像が等倍で記録媒体に形成される事象が抑制される。
【０１４１】
なお、画像形成装置１０Ｃは、利用者によって第２警告画面５６の画像確認ボタン６５が押下された場合に画像表示画面５８を表示する。しかし、画像確認ボタン６５が押下されなくとも、画像表示画面５８を表示するようにしてもよい。
【０１４２】
また、特定の設定画像サイズに対応する画像が入力画像に含まれる場合に画像表示画面５８を表示するのではなく、何れの設定画像サイズに対応する画像に対しても画像表示画面５８を表示するようにしてもよい。
【０１４３】
確認書類の画像には個人情報が記載されているため、他の情報と比較して厳重な管理が要求される。
【０１４４】
一方、これまで説明したように、第３実施形態に係る画像形成装置１０Ｂ、及び第４実施形態に係る画像形成装置１０Ｃは、入力画像に確認書類の画像が含まれているか否かを検知することができる。
【０１４５】
したがって、通信回線に画像形成装置１０Ｂ、１０Ｃに係る確認書類の画像を検出する機能を備えた情報装置を接続し、通信回線上のデータを監視することで、確認書類の画像を含むデータが通信回線を通じて外部に漏洩していないか監視することも可能である。
【０１４６】
以上、各実施形態を用いて本発明について説明したが、本発明は各実施形態に記載の範囲には限定されない。本発明の要旨を逸脱しない範囲で各実施形態に多様な変更又は改良を加えることができ、当該変更又は改良を加えた形態も本発明の技術的範囲に含まれる。例えば、本発明の要旨を逸脱しない範囲で処理の順序を変更してもよい。
【０１４７】
各実施形態では、確認書類の画像を例として、拡縮機能が有効になっている場合であっても、確認書類の画像の本来の大きさに対応した大きさで記録媒体に形成する形態を説明したが、本来の大きさに対応した大きさで記録媒体に形成する画像は確認書類の画像に限られず、他の画像であってもよい。
【０１４８】
上述した各実施の形態では、一例として画像形成装置１０、１０Ａ、１０Ｂ、及び１０Ｃにおける画像形成処理をソフトウエアで実現する形態について説明したが、図４、図９、図１２、及び図１３に示した各フローチャートと同等の処理をハードウエアで処理させるようにしてもよい。この場合、画像形成処理をソフトウエアで実現する場合に比べて、処理の高速化が図られる。
【０１４９】
また、上述した各実施の形態では、画像形成プログラムがＲＯＭ１０６にインストールされている形態を説明したが、これに限定されるものではない。本発明に係る画像形成プログラムは、コンピュータ読み取り可能な記録媒体に記録された形態で提供することも可能である。例えば、本発明に係る画像形成プログラムを、ＣＤ(Compact Disc)−ＲＯＭ、又はＤＶＤ(Digital Versatile)−ＲＯＭ等の光ディスクに記録された形態で提供してもよい。また、本発明に係る画像形成プログラムを、ＵＳＢメモリ及びフラッシュメモリ等の半導体メモリに記録された形態で提供してもよい。
【符号の説明】
【０１５０】
２・・・制御部、１０（１０Ａ、１０Ｂ、１０Ｃ）・・・画像形成装置、１２・・・原稿読み取り部、１４・・・画像形成部、２２・・・操作表示部、２４・・・ディスプレイ、３０・・・外部端子、４０・・・受付部、４２・・・表示部、５０・・・画像内容設定画面、５２・・・ファイル選択画面、５４・・・第１警告画面、５６・・・第２警告画面、５８・・・画像表示画面、１００・・・コンピュータ、１０２・・・ＣＰＵ
【図１】
2018047566.tif 000003
【図２】
2018047566.tif 000004
【図３】
2018047566.tif 000005
【図４】
2018047566.tif 000006
【図５】
2018047566.tif 000007
【図６】
2018047566.tif 000008
【図７】
2018047566.tif 000009
【図８】
2018047566.tif 000010
【図９】
2018047566.tif 000011
【図１０】
2018047566.tif 000012
【図１１】
2018047566.tif 000013
【図１２】
2018047566.tif 000014
【図１３】
2018047566.tif 000015